(57)【要約】      （修正有）【課題】サイズの小さい絵画を壁に展示するための正方形または長方形の台座付展示物を提供する。【解決手段】表面に係合部５を備えた台座２と、裏面に係合部５に係合可能な被係合部を備えた展示物４と、から台座付展示物１を構成する。係合部５は面ファスナーとするのが好ましい。展示物４を係合した台座付展示物１は、台座２の上下に空いた画鋲穴３に画鋲を通して直接壁に、あるいは壁に張った四寸柱に固定する。【選択図】図１
0003192985.tif 000002
【実用新案登録請求の範囲】
【請求項１】
表面に係合部を備えた台座と、
裏面に前記係合部に係合可能な被係合部を備えた展示物と、を有する、台座付展示物。
【請求項２】
前記係合部が面ファスナーであることを特徴とする、請求項１に記載の台座付展示物。
【考案の詳細な説明】
【技術分野】
【０００１】
本考案は、台座付の展示物に関する。
【背景技術】
【０００２】
一般に、絵画や書画、写真等を展示する額縁は、画鋲で壁に掛けたり、額縁の下部を長押に乗せるとともに、上部を紐で吊るしたりして使用されている。  
【０００３】
一方、サイズの小さい作品については、写真立てのように、作品を入れたスタンド付フレームを立てかけて置き、飾ることが一般的であった。
【考案の概要】
【考案が解決しようとする課題】
【０００４】
ここで、従来の壁や長押に展示する額縁では、ある程度のサイズの作品でなければ、部屋の空間に対して作品が小さすぎるため、展示の構成上見栄えが良くならないという問題があった。
【０００５】
また、作品が写真立てのようなスタンド付フレームによって立てかけて展示される際には、展示のための置き場所が必要になっており、置き場所を設けずに展示する適切な方法は存在しなかった。
【０００６】
そして、作品を自宅に展示する場合、作品の交換作業は面倒なため、一旦作品を展示してしまうと、滅多に作品を取り替えたりはせず、数年はそのままの状態で放置されていた。頻繁に、例えば、季節ごとに行う模様替えに合わせて作品が交換されることはなかった。
【０００７】
更に、小さい作品をメインとした展覧会を開くときは、作品を頻繁に、例えば日替わりで交換するなどすると観覧者を飽きさせず、面白いものとなることがあるが、従来技術では、作品を簡単に交換できる展示方法は存在しなかったため、作品を頻繁に交換することはできなかった。
【０００８】
以上のように、小さい作品の展示に際しては、従来技術では作品の展示上見栄えがよくならず、かつ、額は比較的に重く危険な素材で出来ている場合があり、作品の交換に時間と手間がかかるため、一旦展示されると長期間そのままなので不衛生、など様々な課題があった。
【課題を解決するための手段】
【０００９】
上記課題は、本考案の構成によれば、表面に係合部を備えた台座と、裏面に前記係合部に係合された被係合部を備えた展示物とを有する台座付展示物により、達成される。
【００１０】
係合部及び被係合部とは、好ましくは、面ファスナーとする。
【考案の効果】
【００１１】
本考案による台座付展示物は、台座と展示物との係合の度合いがほどよく調節されていることにより、作品が簡単に着脱可能となっており、労せずして展示物を交換することができる。本考案により作品を展示した場合、その交換作業は、台座から作品を取り外し、別の作品を台座に取り付けるという２工程の作業で終了する。額縁ごと交換しなければならない従来の展示方法と場合と比べて、手軽に作品を交換することができるため、季節ごとにする模様替えに合わせて作品を交換することが可能となる。展示会において数多くの作品を交換する場合にも、本考案によれば時間と手間をかけずに簡単に作業を行うことができる。
【００１２】
本考案による台座付展示物は、自宅の壁に直接固定する場合、作品に対して台座が適度な大きさであることにより、全体としてまとまりよく、かつ見栄えよく作品を展示することができる。また、台座付展示物を壁に張った四寸柱に固定するときは、あたかも柱に取り付けられているかのような外観を有し、三寸柱でも作品の幅が同じなので、見栄えよく展示することができる。四寸柱が壁に平行に並び、作品が規則正しく配置されている姿は、観覧者に対して整った印象を与え、非常に美しいものである。  
【図面の簡単な説明】
【００１３】
【図１】縦長の作品に対応する場合の台座付展示物１の正面図（Ａ）及び断面図（Ｂ）          である。
【図２】正方形の作品に対応する場合の台座付展示物１ａの正面図（Ａ）及び断面図            （Ｂ）である。
【図３】３作品を一つの台座に展示する場合の台座付展示物１の正面図（Ａ）及び断面          図（Ｂ）である。
【図４】台座付展示物１の組み立て構造を示す斜視図である。
【図５】台座付展示物１を展示した状態を示す斜視図である
【考案を実施するための形態】
【００１４】
図１から図４は、本考案を適用した台座付展示物の一実施形態を示している。図１に示す台座付展示物１は、台座２と、台座の表面に備えられた係合部５ａと、展示物４と、展示物４の裏面に備えられた被係合部５ｂと、台座付展示物１を壁あるいは壁に張った四寸柱６に固定するための画鋲穴３と、から構成されている。
【００１５】
［第１の実施形態］
図１に示す、台座付展示物１は、縦長の作品に対応する場合の実施形態を示したものである。図１（Ａ）に示すものは、本考案である台座付展示物１の正面図、図１（Ｂ）に示すものは、断面図である。縦長の台座２は、係合部５ａを３カ所備え、展示物４の裏面にも同じく３カ所備えた被係合部５ｂとそれぞれ係合し、展示物４が台座２に係合した状態である。台座２の大きさは、例えば、縦３４０ｍｍ、横１２０ｍｍとし、展示物４の大きさは、例えば、縦２１７ｍｍ、横９０ｍｍとする。台座２の大きさは、展示物４の大きさに対応して、拡大、縮小してもよい。
【００１６】
［第２の実施形態］
図２に示す台座付展示物１１は、正方形の作品に対応する場合の実施形態を示したものある。台座２１と展示物４１の係合の方法は、係合部５１の数を除いて第１の実施形態と同じである。図２においては、係合部５１は２箇所であるが、３カ所としてもよい。台座２１の大きさは、例えば、縦１２０ｍｍ、横１２０ｍｍとし、展示物４１の大きさは、縦９０ｍｍ、横９０ｍｍとする。台座２１の大きさは、展示物４１の大きさに対応して、拡大、縮小してもよい。
【００１７】
［第３の実施形態］
図３に示す、台座付展示物１は、正方形の３作品を一つの台座２にまとめて係合する場合の実施形態を示したものである。台座２と展示物４２との係合の方法は、第１の実施形態と同じである。第３の実施形態においては、１つの展示物は１つの係合部５により台座２に固定される。台座２の大きさは、例えば、縦３４０ｍｍ、横１２０ｍｍとし、展示物４２の大きさは、例えば、縦９０ｍｍ、横９０ｍｍとする。台座２の大きさは、展示物４２の大きさに対応して、拡大、縮小してもよい。３作品を一つの台座２に係合させるところが、第３の実施形態の特徴である。
【００１８】
台座２の素材は、例えば、陶器、鉄、木とする。台座２の色は、展示物４の見栄えを良くするために、黒、茶系統のものが好ましい。
【００１９】
係合部５は、台座２の表面に備えた係合部５ａと展示物４の裏面に備えた被係合部５ｂが係合された状態により構成される。係合物５の係合の強度は、展示物４を台座２に取り付けたときに、展示物４の重量を保持できる程度に強固なものである必要があるが、一方で、展示物４を交換したいときに簡単に取り外せる程度に軟弱である必要がある。係合部５ａ及び被係合部５ｂとは、例えば、面ファスナーとする。
【００２０】
図４は、本考案である台座付展示物１の組み立て構造を示す斜視図である。台座２は表面に３カ所係合部５ａを備え、展示物４は裏面に３カ所被係合部５ｂを備える。係合部５ａと被係合部５ｂとがそれぞれ係合することにより、展示物４が台座２に係合する。展示物４を係合した台座付展示物１は、台座２の上下に空いた画鋲穴３に画鋲を通して四寸柱６に固定する。四寸柱６はあらかじめ壁に固定する。このようにして、台座付展示物１が壁に展示される。
【００２１】
本考案である台座付展示物１は、上下に配置された画鋲穴３に画鋲を通して壁に固定され、かつ、作品も、面ファスナーによりしっかりと台座に固定される。そのため、額縁を壁にかけたときのように、ぐらぐらして作品が傾いたり、回転したりすることはない。
【００２２】
図５は、台座付展示物１が実際に展示されている様子を示した斜視図である。展覧会で展示する場合、図５に示すように、短冊画のような形で展開する。壁に、複数枚四寸柱６を張り、四寸柱６に台座付展示物１を上下に空いた画鋲穴３に画鋲で固定する。展示物４自体は大きいものではないため、あたかも柱に取り付けているかのごとく展示される。四寸柱６の下方には、レプリカの置き場８を設け、レプリカ７の複製作品を設置する。展覧会、展示会などでは、このように全体を構成することで作品の見栄えをよくすることができ、かつ、台座２に取り付けられた展示物４の交換が容易である。
【符号の説明】
【００２３】
１    台座付展示物
１１  正方形の台座付展示物
２    台座
２１  正方形の台座
３    画鋲穴
３１  画鋲穴
４    展示物
４１  正方形の展示物（第２の実施形態）
４２  正方形の展示物（第３の実施形態）
５    係合部
５ａ  係合部（台座側）
５ｂ  被係合部
６    四寸柱
７    レプリカ
８    レプリカの置き場
【図１】
0003192985.tif 000003
【図２】
0003192985.tif 000004
【図３】
0003192985.tif 000005
【図４】
0003192985.tif 000006
【図５】
0003192985.tif 000007